(57)【要約】【課題】第１，第２ダクトの各々を第３，第４ダクトに選択的に連通切換可能としたダンパ装置において，ダクトの配管スペースを小さくし，圧力損失の軽減を図る。【解決手段】各々が基部通路Ｐａ１とこれに分岐部Ｐｂ１を介して並列に接続される一対の先部通路Ｐｃ１，Ｐｃ１′とよりなる第１，第２ダンパ通路Ｐ１，Ｐ２がダンパケースＣ内に形成され，その両ダンパ通路の基部通路Ｐａ１，Ｐａ２は，ダンパケースＣの一端面に並列開口すると共にその両開口部Ｏ１，Ｏ２が第１，第２ダクトＤ１，Ｄ２に接続可能であり，一方の第１先部通路Ｐｃ１は一方の第２先部通路Ｐｃ２と，また他方の第１先部通路Ｐｃ１′は他方の第２先部通路Ｐｃ２′とそれぞれ合流して，ダンパケースＣの他端面に並列開口すると共にその両開口部Ｏ３，Ｏ４が第３，第４ダクトＤ３，Ｄ４に接続可能であり，各分岐部Ｐｂ１にはダンパ羽根Ｆ１，Ｆ２が設けられる。【選択図】　　図１
2004076958.tif 000002
【特許請求の範囲】
【請求項１】
第１基部通路（Ｐａ１）とこれに第１分岐部（Ｐｂ１）を介して並列に接続される一対の第１先部通路（Ｐｃ１，Ｐｃ１′）とよりなる第１ダンパ通路（Ｐ１）と，第２基部通路（Ｐａ２）とこれに第２分岐部（Ｐｂ２）を介して並列に接続される一対の第２先部通路（Ｐｃ２，Ｐｃ２′）とよりなる第２ダンパ通路（Ｐ２）とがダンパケース（Ｃ）内に形成され，
第１及び第２基部通路（Ｐａ１，Ｐａ２）は，ダンパケース（Ｃ）の一端面に並列開口すると共にその両開口部（Ｏ１，Ｏ２）が第１，第２ダクト（Ｄ１，Ｄ２）にそれぞれ接続可能であり，
一方の第１先部通路（Ｐｃ１）は一方の第２先部通路（Ｐｃ２）と，また他方の第１先部通路（Ｐｃ１′）は他方の第２先部通路（Ｐｃ２′）とそれぞれ合流して，ダンパケース（Ｃ）の他端面に並列開口すると共にその両開口部（Ｏ３，Ｏ４）が第３，第４ダクト（Ｄ３，Ｄ４）にそれぞれ接続可能であり，
第１分岐部（Ｐｂ１）には，第１基部通路（Ｐａ１）を一方の第１先部通路（Ｐｃ１）に連通させる第１切換位置と他方の第１先部通路（Ｐｃ１′）に連通させる第２切換位置との間を回動可能な第１ダンパ羽根（Ｆ１）が，また第２分岐部（Ｐｂ２）には，第２基部通路（Ｐａ２）を一方の第２先部通路（Ｐｃ１）に連通させる第１切換位置と他方の第２先部通路（Ｐｃ２′）に連通させる第２切換位置との間を回動可能な第１ダンパ羽根（Ｆ２）がそれぞれ設けられることを特徴とする，ダンパ装置。
【請求項２】
前記第１及び第２ダンパ羽根（Ｆ１，Ｆ２）を強制回動させて互いに異なる切換位置に保持し得る駆動装置（Ｄ）がダンパケース（Ｃ）に設けられることを特徴とする，請求項１に記載のダンパ装置。
【請求項３】
前記第１及び第２ダンパ羽根（Ｆ１，Ｆ２）を強制回動させて互いに同一の切換位置に保持し得る駆動装置（Ｄ′）がダンパケース（Ｃ）に設けられることを特徴とする，請求項１に記載のダンパ装置。
【請求項４】
前記第１ダンパ羽根（Ｆ１）は，それの中間回動位置では第１基部通路（Ｐａ１）を一対の第１先部通路（Ｐｃ１，Ｐｃ１′）の何れにも連通させて該第１基部通路（Ｐａ１）から一対の第１先部通路（Ｐｃ１，Ｐｃ１′）側への流体の分配割合を可変制御可能であり，また前記第２ダンパ羽根（Ｆ２）は，それの中間回動位置では第１基部通路（Ｐａ１）を一対の第１先部通路（Ｐｃ２，Ｐｃ２′）の何れにも連通させて該第２基部通路（Ｐａ２）から一対の第２先部通路（Ｐｃ２，Ｐｃ２′）側への流体の分配割合を可変制御可能であることを特徴とする，請求項１〜３の何れかに記載のダンパ装置。
【請求項５】
前記第１及び第２ダンパ羽根（Ｆ１，Ｆ２）は，各々，並列する複数のダンパ羽根要素（ｆｌ１，ｆｒ１；ｆｌ２，ｆｒ２）より構成され，前記駆動装置（Ｄ，Ｄ′）は，全ダンパ羽根要素（ｆｌ１，ｆｒ１；ｆｌ２，ｆｒ２）を連動連結する連動機構（Ｉ，Ｉ′）と，少なくとも１つのダンパ羽根要素を回転駆動する単一のアクチュエータ（Ｍ）とよりなることを特徴とする，請求項２又は３に記載のダンパ装置。
【請求項６】
前記ダンパケース（Ｃ）内で前記第１及び第２ダンパ通路（Ｐ１，Ｐ２）が，その各々の通路壁の相互間に機構室（Ｃｍ）を挟んで互いに隣接するように配置され，その機構室（Ｃｍ）には，前記駆動装置（Ｄ，Ｄ′）のうち少なくとも前記連動機構（Ｉ，Ｉ′）が収納されることを特徴とする，請求項５に記載のダンパ装置。
【発明の詳細な説明】
【０００１】
【発明の属する技術分野】
本発明は，第１〜第４ダクト相互間に介装されて第１，第２ダクトの各々を，第３，第４ダクトにそれぞれ選択的に連通切換できるようにしたダンパ装置に関する。
【０００２】
【従来の技術】
上記ダンパ装置としては，例えば図１４に示すように単一のダンパケースの前後左右の端面に，第１〜第４ダクトを接続させる第１〜第４の開口Ｏ１′〜Ｏ４′を別々に設け，そのダンパケース内に，第１ダクトを第３，第４ダクトに選択的に切換連通させ且つ第２ダクトを第３，第４ダクトに選択的に切換連通させるダンパ羽根を配設した構造のものが知られている。
【０００３】
【発明が解決しようとする課題】
ところが上記従来構造では，ダンパケースを単一化できる利点がある反面，そのダンパケースの前後左右よりその四方に４本のダクトが放射状に延び出す配置であるため，それらダクトの配管のために比較的大きなスペースを必要とする上，ダンパケース内を出入りする流体の流れ方向が該ケース内で大きく転向するため，圧力損失が大きくなる等の問題があった。
【０００４】
本発明は，上記の事情に鑑み提案されたもので，従来の上記問題を解決できるダンパ装置を提供することを目的としている。
【０００５】
【課題を解決するための手段】
前記目的を達成するために，請求項１の発明は，第１基部通路とこれに第１分岐部を介して並列に接続される一対の第１先部通路とよりなる第１ダンパ通路と，第２基部通路とこれに第２分岐部を介して並列に接続される一対の第２先部通路とよりなる第２ダンパ通路とがダンパケース内に形成され，第１及び第２基部通路は，ダンパケースの一端面に並列開口すると共にその両開口部が第１，第２ダクトにそれぞれ接続可能であり，一方の第１先部通路は一方の第２先部通路と，また他方の第１先部通路は他方の第２先部通路とそれぞれ合流して，ダンパケースの他端面に並列開口すると共にその両開口部が第３，第４ダクトにそれぞれ接続可能であり，第１分岐部には，第１基部通路を一方の第１先部通路に連通させる第１切換位置と他方の第１先部通路に連通させる第２切換位置との間を回動可能な第１ダンパ羽根が，また第２分岐部には，第２基部通路を一方の第２先部通路に連通させる第１切換位置と他方の第２先部通路に連通させる第２切換位置との間を回動可能な第２ダンパ羽根がそれぞれ設けられることを特徴とする。
【０００６】
上記特徴によれば，第１ダクトよりダンパケース内の第１基部通路に流入した流体は第１ダンパ羽根により何れか一方の第１先部通路に振分けられて第３又は第４ダクト側へ流出する。同様に第２ダクトよりダンパケース内の第２基部通路に流入した流体は第２ダンパ羽根により何れか一方の第２先部通路に振分けられて第３又は第４ダクト側へ流出する。而してダンパケースの一端面に並列させた一対の開口部に第１，第２ダクトを，また同ダンパケースの他端面に並列させた一対の開口部に第３，第４ダクトをそれぞれ接続させ，その第１，第２ダクトの各々を，第３，第４ダクトに選択的に連通切換可能であるから，従来のように４つのダクトをダンパケースの前後左右よりその四方に放射状に延出させるダクト接続構造と比べて，ダクトの配管スペースを小さくできる上，ダンパケース内を出入りする流体の流れ方向が該ケース内で大きく転向するのを回避できて圧力損失の軽減が図られる。
【０００７】
また請求項２の発明は，請求項１の上記特徴に加えて，前記第１及び第２ダンパ羽根を強制回動させて互いに異なる切換位置に保持し得る駆動装置がダンパケースに設けられることを特徴とし，また請求項３の発明は，請求項１の上記特徴に加えて，前記第１及び第２ダンパ羽根を強制回動させて互いに同一の切換位置に保持し得る駆動装置がダンパケースに設けられることを特徴とする。
【０００８】
上記請求項２の特徴によれば，駆動装置により第１及び第２ダンパ羽根を強制回動させて互いに異なる切換位置に同時に切換駆動することができ，また上記請求項３の特徴によれば，駆動装置により第１及び第２ダンパ羽根を強制回動させて互いに同一の切換位置に同時に切換駆動することができる。
【０００９】
また請求項４の発明は，請求項１〜３の上記各特徴に加えて，前記第１ダンパ羽根は，それの中間回動位置では第１基部通路を一対の第１先部通路の何れにも連通させて該第１基部通路から一対の第１先部通路側への流体の分配割合を可変制御可能であり，また前記第２ダンパ羽根は，それの中間回動位置では第２基部通路を一対の第２先部通路の何れにも連通させて該第２基部通路から一対の第２先部通路側への流体の分配割合を可変制御可能であることを特徴としている。
【００１０】
この請求項４の特徴によれば，第１ダンパ羽根を以て，第１ダクトに連なる第１基部通路を一対の第１先部通路の何れにも連通させて該第１基部通路から一対の第１先部通路側，即ち第３，第４ダクト側への流体の分配割合を可変制御可能であり，また第２ダンパ羽根を以て，第２ダクトに連なる第１基部通路を一対の第２先部通路の何れにも連通させて該第２基部通路から一対の第２先部通路側，即ち第３，第４ダクト側への流体の分配割合を可変制御可能である。
【００１１】
また請求項５の発明は，請求項４の上記各特徴に加えて，前記第１及び第２ダンパ羽根は，各々，並列する複数のダンパ羽根要素より構成され，前記駆動装置は，全ダンパ羽根要素を連動連結する連動機構と，少なくとも１つのダンパ羽根要素を回転駆動する単一のアクチュエータとよりなることを特徴とし，この特徴によれば，単一のアクチュエータによりダンパケース内の全ダンパ羽根要素を一斉に駆動でき，駆動機構の簡素化が図られる。
【００１２】
また請求項６の発明は，請求項５の上記特徴に加えて，前記ダンパケース内で前記第１及び第２ダンパ通路が，その各々の通路壁の相互間に機構室を挟んで互いに隣接するように配置され，その機構室には，前記駆動装置のうち少なくとも前記連動機構が収納されることを特徴とし，この特徴によれば，ダンパケース内において，第１及び第２ダンパ通路の通路壁相互間の空間を利用して，駆動装置の少なくとも連動機構を収納した機構室を設備でき，ダンパケースの内部空間の有効利用，ひいてはケースの小型化が図られる。
【００１３】
【発明の実施の形態】
本発明の実施の形態を，添付図面に例示した本発明の実施例に基づいて以下に具体的に説明する。
【００１４】
添付図面において，図１〜図１０は本発明の第１実施例を示すものであって，図１は，ダンパ装置を前下方より見た全体斜視図，図２は，前記ダンパ装置を前方より見た正面図，図３は，前記ダンパ装置を後方より見た背面図，図４は図２の４−４線断面図，図５は図４の５−５線断面図，図６は連動機構だけを示す平面図と側面図，図７は連動機構の作動原理図，図８はダンパ羽根の作動切換態様を示す説明図，図９は，ダンパ装置の第１使用例を示す概略配管図，図１０は，ダンパ装置の第２使用例を示す概略配管図である。また図１１〜図１３は本発明の第２実施例を示すものであって，図１１は，ダンパ装置の連動機構を示す図６対応図，図１２は，ダンパ羽根の作動切換態様を示す図８対応図，図１３は，ダンパ装置の使用例を示す概略配管図である。
【００１５】
先ず，第１実施例を示す図１〜６において，ダンパ装置ＤＰは，上下に互いに重合配置される第１及び第２ダンパ通路Ｐ１，Ｐ２を内部に形成したダンパケースＣと，その第１及び第２ダンパ通路Ｐ１，Ｐ２内にそれぞれ介装される第１及び第２ダンパ羽根Ｆ１，Ｆ２と，それら第１及び第２ダンパ羽根Ｆ１，Ｆ２を強制回動させて互いに異なる切換位置に保持し得る駆動装置Ｄとを備える。
【００１６】
前記第１ダンパ通路Ｐ１は，第１基部通路Ｐａ１とこれに第１分岐部Ｐｂ１を介して並列に接続される一対の第１先部通路Ｐｃ１，Ｐｃ１′とより二叉状に構成される。また同様に前記第２ダンパ通路Ｐ２は，第２基部通路Ｐａ２とこれに第２分岐部Ｐｂ２を介して並列に接続される一対の第２先部通路Ｐｃ２，Ｐｃ２′とより二叉状に構成される。尚，第１，第２ダンパ通路Ｐ１，Ｐ２は，ダンパケースＣを上下に二等分する水平面に対して対称に配置される。
【００１７】
前記第１及び第２基部通路Ｐａ１，Ｐａ２は，ダンパケースＣの前端面に上下に並列して開口すると共にその両開口部，即ち第１及び第２開口部Ｏ１，Ｏ２が第１，第２ダクトＤ１，Ｄ２にそれぞれ接続可能である。
【００１８】
更に第１ダンパ通路Ｐ１の一方の第１先部通路Ｐｃ１は第２ダンパ通路Ｐ２の一方の第２先部通路Ｐｃ２と，また第１ダンパ通路Ｐ１の他方の第１先部通路Ｐｃ１′は第２ダンパ通路Ｐ２の他方の第２先部通路Ｐｃ２′とそれぞれ合流して，ダンパケースＣの後端面に左右に並列して開口すると共にその両開口部，即ち第３及び第４の開口部Ｏ３，Ｏ４が第３，第４ダクトＤ３，Ｄ４にそれぞれ接続可能である。
【００１９】
ダンパケースＣの前端部は，上方から見て前方側に先細り状に形成され（図１，図２，図４参照），またその後端部は，側方から見て後方側に先細り状に形成される（図１，図３，図５参照）。
【００２０】
前記第１ダンパ羽根Ｆ１は，第１分岐部Ｐｂ１に設けられていて，第１基部通路Ｐａ１を一方の第１先部通路Ｐｃ１に連通させる第１切換位置と他方の第１先部通路Ｐｃ１′に連通させる第２切換位置との間を回動可能である。また同様に前記第２ダンパ羽根Ｆ２は，第２分岐部Ｐｂ２に設けられていて，第２基部通路Ｐａ２を一方の第２先部通路Ｐｃ２に連通させる第１切換位置と他方の第２先部通路Ｐｃ２′に連通させる第２切換位置との間を回動可能である。
【００２１】
さらに第１ダンパ羽根Ｆ１は，それの中間回動位置では第１基部通路Ｐａ１を一対の第１先部通路Ｐｃ１，Ｐｃ１′の何れにも連通させて該第１基部通路Ｐａ１から一対の第１先部通路Ｐｃ１，Ｐｃ１′側への流体の分配割合を可変制御可能である。また同様に第２ダンパ羽根Ｆ２は，それの中間回動位置では第２基部通路Ｐａ２を一対の第２先部通路Ｐｃ２，Ｐｃ２′の何れにも連通させて該第２基部通路Ｐａ２から一対の第２先部通路Ｐｃ２，Ｐｃ２′側への流体の分配割合を可変制御可能である。
【００２２】
前記第１及び第２ダンパ羽根Ｆ１，Ｆ２は，各々，左右に並列する複数（図示例では一対）のダンパ羽根要素ｆｌ１，ｆｒ１；ｆｌ２，ｆｒ２より構成されており，前記駆動装置Ｄは，ダンパケースＣ内の全ダンパ羽根要素ｆｌ１，ｆｒ１；ｆｌ２，ｆｒ２の相互間を連動連結する連動機構Ｉと，少なくとも１つのダンパ羽根要素（図示例ではｆｌ１）を回転駆動する単一のアクチュエータとしての電動モータＭとより構成される。
【００２３】
ダンパケースＣ内において，上下に相互に重なり合う第１及び第２ダンパ通路Ｐ１，Ｐ２（図示例では第１及び第２分岐部Ｐｂ１，Ｐｂ２）の各々の通路壁の相互間には，機構室Ｃｍが形成されており，その機構室Ｃｍには，前記駆動装置Ｄの連動機構Ｉが収納される。
【００２４】
第１ダンパ羽根Ｆ１の一対のダンパ羽根要素ｆｌ１，ｆｒ１は，第１分岐部Ｐｂ１を上下に貫通し且つ互いに平行してダンパケースＣに回動自在に支持される左右一対の第１ダンパ軸ｊｌ１，ｊｒ１と，その第１ダンパ軸ｊｌ１，ｊｒ１に固着される第１羽根本体ｍｌ１，ｍｒ１とより構成される。また第２ダンパ羽根Ｆ２の一対のダンパ羽根要素ｆｌ２，ｆｒ２は，第２分岐部Ｐｂ２を上下に貫通し且つ互いに平行してダンパケースＣに回動自在に支持される左右一対の第２ダンパ軸ｊｌ２，ｊｒ２と，その第２ダンパ軸ｊｌ２，ｊｒ２に固着される第２羽根本体ｍｌ２，ｍｒ２とより構成される。
【００２５】
前記連動機構Ｉは，左右一対の第１ダンパ軸ｊｌ１，ｊｒ１にそれぞれ固着される左，右の第１回転輪１，２と，左右一対の第２ダンパ軸ｊｌ２，ｊｒ２にそれぞれ固着される左，右の第２回転輪３，４と，左，右の第１回転輪１，２間に介装されてその相互間を同一方向に連動回転させる第１リンク５と，左，右の第２回転輪３，４間に介装されてその相互間を同一方向に連動回転させる第２リンク６と，左，右一方の第１回転輪１と左，右一方の第２回転輪４間に介装されてその相互間を反対方向に連動回転させる第３リンク７とより構成される。
【００２６】
またケーシングＣの外壁には，何れか１つのダンパ軸ｊｌ１を回転駆動するアクチュエータとしての電動モータＭが装着される。而してこのモータＭが作動されて１つのダンパ軸ｊｌ１が回転駆動されると，上記連動機構Ｉにより，左右一対の第１ダンパ軸ｊｌ１，ｊｒ１が互いに同一方向に連動回転すると共に，その回転方向と反対方向に左右一対の第２ダンパ軸ｊｌ２，ｊｒ２が連動回転し，これにより，第１及び第２ダンパ羽根Ｆ１，Ｆ２が互いに異なる切換位置に交互に切換えられる。
【００２７】
次に前記実施例の作用を説明する。本発明のダンパ装置ＤＰは，例えば図９に示すような空調レイアウトに使用される。即ち，このレイアウトでは，第１ダクトＤ１は外気取入口に接続され，第２ダクトＤ２は，各居室からの戻り通路に送風機Ｂを介して接続され，第３ダクトＤ３は，エアコンＡを介して各居室に接続され，第４ダクトＤ４は，大気への排気放出口に接続される。
【００２８】
いま，図１〜図５，図８上側および図９（ａ）に示すように第１ダンパ羽根Ｆ１が第１切換位置にあり且つ第２ダンパ羽根Ｆ２が第２切換位置にある状態で，送風機Ｂだけを作動させると，その送風機Ｂの風圧で第２ダクトＤ２よりダンパケースＣ内の第２基部通路Ｐａ２に流入した各居室からの戻り排気ＲＡは，第２ダンパ羽根Ｆ２により第２先部通路Ｐｃ２′に振分けられて第４ダクトＤ４側へ流出し，これと同時に，第１ダクトＤ１よりダンパケースＣ内の第１基部通路Ｐａ１に流入した外気ＳＡは，第１ダンパ羽根Ｆ１により第１先部通路Ｐｃ１に振分けられて第３ダクトＤ３側へ流出する。これにより，各居室からの戻り排気ＲＡが送風機Ｂにより吸引されて大気に放出されると共に，外気ＳＡが各居室に供給されて，居室の換気がなされる。
【００２９】
また上記とは逆に第１ダンパ羽根Ｆ１が第２切換位置にあり且つ第２ダンパ羽根Ｆ２が第１切換位置にある状態（図８下側および図９の（ｂ）の状態）で，エアコンＡ及び送風機Ｂを共に作動させると，第２ダクトＤ２より第２基部通路Ｐａ２に流入した各居室からの戻り排気ＲＡは，第２ダンパ羽根Ｆ２により第２先部通路Ｐｃ２に振分けられて第３ダクトＤ３側へ流出する。これにより，各居室からの戻り排気ＲＡがエアコンＡにより加熱又は冷却されて各居室に供給され，各居室が効率よく暖房又は冷房される。尚，このとき第１及び第４ダクトＤ１，Ｄ４間は連通状態にあるが，その間で空気の流れは生じない。
【００３０】
また第１及び第２ダンパ羽根Ｆ１，Ｆ２をそれぞれ所定の中間回動位置に保持した状態（図９の（ｃ）の状態）で，エアコンＡ及び送風機Ｂを共に作動させると，第１ダクトＤ１から第３，第４ダクトＤ３，Ｄ４へ外気を所望の分配比率（例えば７０％：３０％）で分配制御することができると共に，第２ダクトＤ２から各居室の戻り排気を所望の分配比率（例えば３０％：７０％）で分配制御することができる。
【００３１】
また本発明のダンパ装置ＤＰは，例えば図１０に示すような空調レイアウトにも使用可能である。即ち，このレイアウトでは，第１ダクトＤ１は，大気取入口を吸込側に接続したエアコンＡの吹出側に接続され，第２ダクトＤ２は，前記エアコンＡの吸込側に接続される。また第３ダクトＤ３は各居室の天井開口部Ｏｒに接続され，また第４ダクトＤ４は各居室の床開口部Ｏｆに接続される。
【００３２】
いま，図１〜図５，図９上側および図１０（ａ）に示すように第１ダンパ羽根Ｆ１が第１切換位置にあり且つ第２ダンパ羽根Ｆ２が第２切換位置にある状態で，エアコンＡを冷房モードで作動させると，第１ダクトＤ１よりダンパケースＣ内の第１基部通路Ｐａ１に流入したエアコンＡの吹出冷気は，第１ダンパ羽根Ｆ１により第１先部通路Ｐｃ１に振分けられて第３ダクトＤ３側へ流出し，天井開口部Ｏｒから各居室に吹き出す。また床開口部Ｏｆより吸い込まれた各居室の戻り排気は，第４ダクトＤ４よりダンパケースＣ内を経て第２ダクトＤ２側へ流出して，エアコンＡ側へ還流する。
【００３３】
また上記とは逆に第１ダンパ羽根Ｆ１が第２切換位置にあり且つ第２ダンパ羽根Ｆ２が第１切換位置にある状態（図９下側及び図１０（ｂ）の状態）で，エアコンＡを暖房モードで作動させると，第１ダクトＤ１よりダンパケースＣ内の第１基部通路Ｐａ１に流入したエアコンＡの吹出暖気は第１ダンパ羽根Ｆ１により第１先部通路Ｐｃ１′に振分けられて第４ダクトＤ４側へ流出し，床開口部Ｏｆから各居室に吹き出す。また天井開口部Ｏｒより吸い込まれた各居室の戻り排気は，第３ダクトＤ３よりダンパケースＣ内を経て第２ダクトＤ２側へ流出して，エアコンＡ側へ還流する。
【００３４】
而して上記ダンパ装置ＤＰでは，ダンパケースＣの前端面に上下並列する第１，第２開口部Ｏ１，Ｏ２に第１，第２ダクトＤ１，Ｄ２を，また同ダンパケースＣの後端面に左右並列する第３，第４開口部Ｏ３，Ｏ４に第３，第４ダクトＤ３，Ｄ４をそれぞれ接続させ，その第１，第２ダクトＤ１，Ｄ２の各々を，第３，第４ダクトＤ３，Ｄ４に選択的に連通切換可能であるから，従来のように４つのダクトＤ１〜Ｄ４をダンパケースの前後左右よりその四方に放射状に延出させるダクト接続構造と比べて，ダクトＤ１〜Ｄ４の配管スペースを小さくできる上，ダンパケースＣ内を出入りする流体の流れ方向が該ケースＣ内で大きく転向するのを回避できて圧力損失の軽減が図られる。
【００３５】
次に図１１〜図１３を参照して本発明の第２実施例を説明する。先の実施例では，駆動装置Ｄにより第１及び第２ダンパ羽根Ｆ１，Ｆ２を互いに異なる切換位置に同時に切換作動させるようにしたが，この第２実施例では，駆動装置Ｄ′により第１及び第２ダンパ羽根Ｆ１，Ｆ２を強制回動させて互いに同一の切換位置に同時に切換作動させるようにしている。
【００３６】
即ち，この第２実施例では，連動機構Ｉ′において，上下のダンパ軸を逆方向に連動回転させるための第３リンク７が省略され，その代わりに，上下のダンパ軸（図示例では左側の第１ダンパ軸ｊｌ１と左側の第２ダンパ軸ｊｌ２）相互をジョイントＪを介して同一軸線上で一体的に連結している。その他の構造は，前実施例と基本的に同一である。
【００３７】
而して，この第２実施例でも，基本的に前記第１実施例と同様の作用効果が得られる。また特に第２実施例では，第１，第２ダクトＤ１，Ｄ２内の流体を第３，第４ダクトＤ３，Ｄ４へ所望の混合比で分配制御することができ，例えば第１および第２ダンパ羽根Ｆ１，Ｆ２が共に第１切換位置にある状態（図１２上側および図１３（ａ）の状態）では，第１，第２ダクトＤ１，Ｄ２内の流体を全量第３ダクトＤ３側に供給可能である。また第１および第２ダンパ羽根Ｆ１，Ｆ２が共に第２切換位置にある状態（図１２下側および図１３（ｂ）の状態）では，第１，第２ダクトＤ１，Ｄ２内の流体を全量第４ダクトＤ４側に供給可能である。
【００３８】
さらに第１，第２ダンパ羽根Ｆ１，Ｆ２を各々所定の中間回動位置に保持すれば（図１３で（ｃ）の状態），第１，第２ダクトＤ１，Ｄ２内の各流体を，所望の分配比率（例えば５０％：５０％）で混合して第３，第４ダクトＤ３，Ｄ４に供給可能である。
【００３９】
以上，本発明の実施例を詳述したが，本発明は前記実施例に限定されるものでなく，種々の設計変更を行うことができる。
【００４０】
例えば，前記実施例では，駆動装置Ｄのうち連動機構Ｉだけを機構室Ｃｍに収納し，アクチュエータとしての電動モータＭをダンパケースＣに外付けとしたものを示したが，本発明では，アクチュエータとしての電動モータＭも機構室Ｃｍに収納するようにしてもよい。
【００４１】
【発明の効果】
以上のように請求項１の発明によれば，ダンパケースの一端面に並列させた一対の開口部に第１，第２ダクトを，また同ダンパケースの他端面に並列させた一対の開口部に第３，第４ダクトをそれぞれ接続させ，その第１，第２ダクトの各々を，第３，第４ダクトに選択的に連通切換可能としたので，従来のように４つのダクトをダンパケースの前後左右よりその四方に放射状に延出させる配置と比べて，ダクトの配管スペースを小さくできる上，ダンパケース内を出入りする流体の流れ方向が該ケース内で大きく転向するのを回避できて圧力損失の軽減が図られる。
【００４２】
また特に請求項２の発明によれば，ダンパケースに設けた駆動装置により，第１及び第２ダンパ羽根を強制回動させて互いに異なる切換位置に同時に切換作動させることができ，その切換操作性も良好である。
【００４３】
また特に請求項３の発明によれば，ダンパケースに設けた駆動装置により，第１及び第２ダンパ羽根を強制回動させて互いに同一の切換位置に同時に切換作動させることができ，その切換操作性も良好である。
【００４４】
また特に請求項４の発明によれば，第１ダンパ通路の分岐部に設けた第１ダンパ羽根により，第１ダクトに連なる第１基部通路を一対の第１先部通路の何れにも連通させて該第１基部通路から一対の第１先部通路側，即ち第３，第４ダクト側への流体の分配割合を可変制御可能であり，また第２ダンパ通路の分岐部に設けた第２ダンパ羽根により，第２ダクトに連なる第１基部通路を一対の第２先部通路の何れにも連通させて該第２基部通路から一対の第２先部通路側，即ち第３，第４ダクト側への流体の分配割合を可変制御可能である。
【００４５】
また特に請求項５の発明によれば，単一のアクチュエータにより，ダンパケース内の全ダンパ羽根要素を一斉に駆動できるから，駆動装置の構造簡素化が図られる。
【００４６】
また特に請求項６の発明によれば，ダンパケース内において，第１及び第２ダンパ通路の通路壁相互間の空間を利用して，駆動装置の主要部（少なくとも連動機構）を収納した機構室を設備できるから，ダンパケースの内部空間の有効利用，ひいてはケースの小型化が図られる。
【図面の簡単な説明】
【図１】第１実施例に係るダンパ装置を前下方より見た全体斜視図
【図２】前記ダンパ装置を前方より見た正面図
【図３】前記ダンパ装置を後方より見た背面図
【図４】図２の４−４線断面図
【図５】図４の５−５線断面図
【図６】ダンパ装置の連動機構だけを示す平面図と側面図
【図７】連動機構の作動原理図
【図８】ダンパ羽根の作動切換態様を示す説明図
【図９】第１実施例のダンパ装置の第１使用例を示す概略配管図
【図１０】第１実施例のダンパ装置の第２使用例を示す概略配管図
【図１１】第２実施例のダンパ装置の連動機構を示す図６対応図
【図１２】第２実施例のダンパ装置のダンパ羽根の作動切換態様を示す図８対応図
【図１３】第２実施例のダンパ装置の使用例を示す概略配管図
【図１４】ダンパ装置の従来例を示す概略斜視図
【符号の説明】
Ｃ・・・・・ダンパケース
Ｃｍ・・・・機構室
Ｄ，Ｄ′・・・・駆動装置
ＤＰ・・・・ダンパ装置
Ｄ１〜Ｄ４・・第１〜第４ダクト
Ｆ１・・・・第１ダンパ羽根
ｆｌ１，ｆｒ１・・ダンパ羽根要素
Ｆ２・・・・第２ダンパ羽根
ｆｌ２，ｆｒ２・・ダンパ羽根要素
Ｉ，Ｉ′・・・・連動機構
Ｍ・・・・・アクチュエータとしての電動モータ
Ｏ１〜Ｏ４・・第１〜第４の開口部
Ｐ１・・・・第１ダンパ通路
Ｐａ１・・・第１基部通路
Ｐｂ１・・・第１分岐部
Ｐｃ１，Ｐｃ１′・・一対の第１先部通路
Ｐ２・・・・第２ダンパ通路
Ｐａ２・・・第２基部通路
Ｐｂ２・・・第２分岐部
Ｐｃ２，Ｐｃ２′・・一対の第２先部通路
【図１】
2004076958.tif 000003
【図２】
2004076958.tif 000004
【図３】
2004076958.tif 000005
【図４】
2004076958.tif 000006
【図５】
2004076958.tif 000007
【図６】
2004076958.tif 000008
【図７】
2004076958.tif 000009
【図８】
2004076958.tif 000010
【図９】
2004076958.tif 000011
【図１０】
2004076958.tif 000012
【図１１】
2004076958.tif 000013
【図１２】
2004076958.tif 000014
【図１３】
2004076958.tif 000015
【図１４】
2004076958.tif 000016